(57)【要約】【課題】通話の着信者に、発信者のユーザプロファイルと、予め設定されたコンテンツ内容を表示する。【解決手段】通話端末５０を用いて発信を行った発信者のユーザプロファイルを、ユーザプロファイルサーバ２００で一元管理するとともに、ユーザ端末１０の持ち主である着信者が表示したい、あるいは発信者が表示させたいコンテンツ内容を、発信者ごとに設定し、ユーザプロファイルデータベース２５０に記憶させることで、着信があった際には当該ユーザプロファイルと、コンテンツ内容とを表示でき、同時に、当該発信者との通話履歴や、留守電の履歴を表示するユーザ端末、ユーザプロファイル表示システムを提供する。【選択図】図１
2014171096.tif 000002
【特許請求の範囲】
【請求項１】
通話機能、及び表示部を有し、ユーザプロファイルサーバと通信可能に接続されたユーザ端末であって、
前記通話機能が着信した際に、当該通話に係る発信者の電話番号を取得する発信者番号取得手段と、
前記取得した発信者の電話番号に基づいて、前記ユーザプロファイルサーバから、当該発信者の電話番号と関連付けられて記憶されているユーザプロファイルを取得するユーザプロファイル取得手段と、
前記取得したユーザプロファイルを、前記表示部に出力するユーザプロファイル表示手段と、
を備えるユーザ端末。
【請求項２】
請求項１に記載のユーザ端末であって、
前記取得した発信者の電話番号と関連付けられて、前記ユーザプロファイルサーバに記憶されたコンテンツを取得する、ユーザコンテンツ取得手段と、
前記取得したコンテンツを表示部に表示する、ユーザコンテンツ表示手段と、
を備えるユーザ端末。
【請求項３】
前記に加え、記憶部を備える請求項１又は２のいずれか一項に記載のユーザ端末であって、
前記取得した発信者の電話番号と関連付けられて前記記憶部に記憶された着信履歴、又は留守電の記憶の少なくともいずれかを含む情報を読み出す、履歴読み出し手段と、
前記読み出した情報を表示部に表示する、履歴表示手段と、
を備えるユーザ端末。
【請求項４】
通話機能、及び表示部を有するユーザ端末と、ユーザプロファイルサーバとが、通信可能に接続されたユーザプロファイル表示システムであって、
前記ユーザ端末は、
前記通話機能が着信した際に、当該通話に係る発信者の電話番号を取得する発信者番号取得手段と、
前記取得した発信者の電話番号に基づいて、前記ユーザプロファイルサーバから、当該発信者の電話番号と関連付けられて記憶されているユーザプロファイルを取得するユーザプロファイル取得手段と、
前記取得したユーザプロファイルを、前記表示部に出力するユーザプロファイル出力手段と、
を備え、
前記ユーザプロファイルサーバは、
電話番号とユーザプロファイルとを関連付けて記憶させるユーザプロファイルデータベースと、
前記ユーザ端末から受信した電話番号と関連付けて記憶されたユーザプロファイルを、前記ユーザプロファイルデータベースから抽出するユーザプロファイル抽出手段と、
前記抽出したユーザプロファイルを前記ユーザ端末に送信するユーザプロファイル送信手段と、
を備えるユーザプロファイル表示システム。
【請求項５】
通話機能、及び表示部を有し、ユーザプロファイルサーバと通信可能に接続されたユーザ端末が実行するユーザプロファイル表示方法であって、
前記通話機能が着信した際に、当該通話に係る発信者の電話番号を取得するステップと、
前記取得した発信者の電話番号に基づいて、前記ユーザプロファイルサーバから、当該発信者の電話番号と関連付けられて記憶されているユーザプロファイルを取得するステップと、
前記取得したユーザプロファイルを、前記表示部に出力するステップと、
を備えるユーザプロファイル表示方法。
【請求項６】
通話機能、及び表示部を有し、ユーザプロファイルサーバと通信可能に接続されたユーザ端末が実行するユーザ端末用プログラムであって、
前記通話機能が着信した際に、当該通話に係る発信者の電話番号を取得するステップ、
前記取得した発信者の電話番号に基づいて、前記ユーザプロファイルサーバから、当該発信者の電話番号と関連付けられて記憶されているユーザプロファイルを取得するステップ、
前記取得したユーザプロファイルを、前記表示部に出力するステップ、
を備えるユーザ端末用プログラム。
【発明の詳細な説明】
【技術分野】
【０００１】
本発明は、着信相手のユーザプロファイルを表示するユーザ端末、ユーザプロファイル表示システム、ユーザプロファイル表示方法、及びユーザ端末用プログラムに関する。
【背景技術】
【０００２】
近年、公衆回線網に接続された通話端末をＷｅｂサーバ等と接続することで、ユーザに様々なサービスが提供されている。特に、通話機能を有する高機能携帯端末はスマートフォン端末と呼ばれ、従来の携帯電話に代わり、多くの人々が使うに至っている。
【０００３】
旧来もナンバーディスプレイや、携帯電話のアドレス帳を利用し、着信者は発信者の情報を通話の開始前に参照することができた。加えて近年では、発信者が着信者に特定の情報を、通話の開始前に見せたいというニーズが生まれている。
【０００４】
このような課題に対して、電話の発信時において、着信先に通知すべき発信者名称等を、発信元が相手先に応じて選択して通知する方法が開示されている。
【先行技術文献】
【特許文献】
【０００５】
【特許文献１】特開２０１１−１９３３１８号公報
【発明の概要】
【発明が解決しようとする課題】
【０００６】
特許文献１では、入力される発信に関する入力情報と相手先に通知すべき発信者名称とを対応づけて設定情報メモリに記憶しておき、発信者情報特定部が、相手先に通知すべき発信者名称を特定することで、発信者名称を含む呼び出しメッセージを相手に送信する手法が開示されている。
【０００７】
しかしながら、特許文献１に開示されている方法では、発信者側から着信者側に表示させたい発信者名称を設定できるに過ぎず、着信者側に記憶されたデータの参酌が保証されていない点で、着信者側の利益は十分に担保されていないという問題がある。
【０００８】
以上の課題を鑑み、本発明は、発信者のユーザプロファイルをサーバで一元管理するとともに、発信者ごとに着信者が表示したい、あるいは発信者が表示させたいコンテンツ内容を設定することで、着信があった際には当該ユーザプロファイルと、コンテンツ内容とを表示でき、また、当該発信者との通話履歴や、留守電の履歴を表示するユーザ端末、ユーザプロファイル表示システムを提供することを目的とする。
【課題を解決するための手段】
【０００９】
本発明では、以下のような解決手段を提供する。
【００１０】
第１の特徴に係る発明は、通話機能、及び表示部を有し、ユーザプロファイルサーバと通信可能に接続されたユーザ端末であって、
前記通話機能が着信した際に、当該通話に係る発信者の電話番号を取得する発信者番号取得手段と、
前記取得した発信者の電話番号に基づいて、前記ユーザプロファイルサーバから、当該発信者の電話番号と関連付けられて記憶されているユーザプロファイルを取得するユーザプロファイル取得手段と、
前記取得したユーザプロファイルを、前記表示部に出力するユーザプロファイル表示手段と、
を備えるユーザ端末を提供する。
【００１１】
第１の特徴に係る発明によれば、通話機能、及び表示部を有し、ユーザプロファイルサーバと通信可能に接続されたユーザ端末は、前記通話機能が着信した際に、当該通話に係る発信者の電話番号を取得し、取得した発信者の電話番号に基づいて、前記ユーザプロファイルサーバから、当該発信者の電話番号と関連付けられて記憶されているユーザプロファイルを取得し、取得したユーザプロファイルを、前記表示部に出力する。
【００１２】
第１の特徴に係る発明は、ユーザ端末のカテゴリであるが、ユーザプロファイル表示方法、及び、ユーザ端末用プログラムのカテゴリにおいても、そのカテゴリに応じた同一の作用・効果を奏する。
【００１３】
第２の特徴に係る発明は、第１の特徴に係る発明であるユーザ端末であって、
前記取得した発信者の電話番号と関連付けられて、前記ユーザプロファイルサーバに記憶されたコンテンツを取得する、ユーザコンテンツ取得手段と、
前記取得したコンテンツを表示部に表示する、ユーザコンテンツ表示手段と、
を備えるユーザ端末を提供する。
【００１４】
第２の特徴に係る発明によれば、第１の特徴に係る発明であるユーザ端末は、前記取得した発信者の電話番号と関連付けられて、前記ユーザプロファイルサーバに記憶されたコンテンツを取得し、取得したコンテンツを表示部に表示する。
【００１５】
第３の特徴に係る発明は、前記に加え、記憶部を備える第１又は第２のいずれかの特徴に係る発明であるユーザ端末であって、
前記取得した電話番号と関連付けられて前記記憶部に記憶された着信履歴、又は留守電の記憶の少なくともいずれかを含む情報を読み出す、履歴読み出し手段と、
前記読み出した情報を表示部に表示する、履歴表示手段と、
を備えるユーザ端末を提供する。
【００１６】
第３の特徴に係る発明によれば、前記に加え、記憶部を備える第１又は第２のいずれかの特徴に係る発明であるユーザ端末は、前記取得した電話番号と関連付けられて前記記憶部に記憶された着信履歴、又は留守電の記憶の少なくともいずれかを含む情報を読み出し、読み出した情報を表示部に表示する。
【００１７】
第４の特徴に係る発明は、通話機能、及び表示部を有するユーザ端末と、ユーザプロファイルサーバとが、通信可能に接続されたユーザプロファイル表示システムであって、
前記ユーザ端末は、
前記通話機能が着信した際に、当該通話に係る発信者の電話番号を取得する発信者番号取得手段と、
前記取得した発信者の電話番号に基づいて、前記ユーザプロファイルサーバから、当該発信者の電話番号と関連付けられて記憶されているユーザプロファイルを取得するユーザプロファイル取得手段と、
前記取得したユーザプロファイルを、前記表示部に出力するユーザプロファイル出力手段と、
を備え、
前記ユーザプロファイルサーバは、
電話番号とユーザプロファイルとを関連付けて記憶させるユーザプロファイルデータベースと、
前記ユーザ端末から受信した電話番号と関連付けて記憶されたユーザプロファイルを、前記ユーザプロファイルデータベースから抽出するユーザプロファイル抽出手段と、
前記抽出したユーザプロファイルを前記ユーザ端末に送信するユーザプロファイル送信手段と、
を備えるユーザプロファイル表示システムを提供する。
【００１８】
第４の特徴に係る発明によれば、通話機能、及び表示部を有するユーザ端末と、ユーザプロファイルサーバとが、通信可能に接続されたユーザプロファイル表示システムにおいて、前記ユーザ端末は、前記通話機能が着信した際に、当該通話に係る発信者の電話番号を取得し、取得した発信者の電話番号に基づいて、前記ユーザプロファイルサーバから、当該発信者の電話番号と関連付けられて記憶されているユーザプロファイルを取得し、取得したユーザプロファイルを、前記表示部に出力する。また、前記ユーザプロファイルサーバは、電話番号とユーザプロファイルとを関連付けて記憶させるユーザプロファイルデータベースを備え、前記ユーザ端末から受信した電話番号と関連付けて記憶されたユーザプロファイルを、前記ユーザプロファイルデータベースから抽出し、抽出したユーザプロファイルを前記ユーザ端末に送信する。
【００１９】
第５の特徴に係る発明は、通話機能、及び表示部を有し、ユーザプロファイルサーバと通信可能に接続されたユーザ端末が実行するユーザプロファイル表示方法であって、
前記通話機能が着信した際に、当該通話に係る発信者の電話番号を取得するステップと、
前記取得した発信者の電話番号に基づいて、前記ユーザプロファイルサーバから、当該発信者の電話番号と関連付けられて記憶されているユーザプロファイルを取得するステップと、
前記取得したユーザプロファイルを、前記表示部に出力するステップと、
を備えるユーザプロファイル表示方法を提供する。
【００２０】
第６の特徴に係る発明は、通話機能、及び表示部を有し、ユーザプロファイルサーバと通信可能に接続されたユーザ端末が実行するユーザ端末用プログラムであって、
前記通話機能が着信した際に、当該通話に係る発信者の電話番号を取得するステップ、
前記取得した発信者の電話番号に基づいて、前記ユーザプロファイルサーバから、当該発信者の電話番号と関連付けられて記憶されているユーザプロファイルを取得するステップ、
前記取得したユーザプロファイルを、前記表示部に出力するステップ、
を備えるユーザ端末用プログラムを提供する。
【発明の効果】
【００２１】
本発明によれば、発信者のユーザプロファイルをサーバで一元管理するとともに、発信者ごとに着信者が表示したい、あるいは発信者が表示させたいコンテンツ内容を設定することで、着信があった際には当該ユーザプロファイルと、コンテンツ内容とを表示でき、また、当該発信者との通話履歴や、留守電の履歴を表示するユーザ端末、ユーザプロファイル表示システムを提供することが可能となる。
【図面の簡単な説明】
【００２２】
【図１】図１は、ユーザプロファイル表示システム１の概要を説明するための図である。
【図２】図２は、ユーザプロファイル表示システム１の全体構成図である。
【図３】図３は、ユーザ端末１０、通話端末５０、ユーザプロファイルサーバ２００の機能ブロック図である。
【図４】図４は、ユーザ端末１０、通話端末５０、ユーザプロファイルサーバ２００が実行するユーザプロファイルの表示処理の手順を示すフローチャート図である。
【図５】図５は、ユーザ端末１０が表示するユーザプロファイルの一例である。
【図６】図６は、ユーザ端末１０が表示するコンテンツ内容の一例である。
【図７】図７は、ユーザプロファイルサーバ２００が備える、ユーザプロファイルデータベース２５０内のユーザプロファイルテーブルの一例である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［ユーザプロファイル表示システム１の概要］
図１は、本発明の好適な実施形態であるユーザプロファイル表示システム１の概要を説明するための図である。この図１に基づいて、ユーザプロファイル表示システム１の概要を説明する。
【００２５】
初めに、ユーザ端末１０は通話端末５０から着信を受ける（ステップＳ０１）。ここで、通話端末５０は一般の電話端末であってよい。
【００２６】
着信を受けたユーザ端末１０は、着信があった通話端末５０の電話番号を取得すると、その電話番号と結び付けられたユーザプロファイルをユーザプロファイルサーバ２００へ問い合わせる（ステップＳ０２）。
【００２７】
問い合わせを受けたユーザプロファイルサーバ２００は、ユーザプロファイルデータベース２５０から、問い合わせのあった電話番号と関連付けられたユーザプロファイルを抽出する。
【００２８】
図１では、「０８０−ＹＹＹＹ−ＹＹＹＹ」から着信があった例を示している。ユーザプロファイルデータベース２５０には、「０８０−ＹＹＹＹ−ＹＹＹＹ」という電話番号と関連付けられて「鈴木太郎」という氏名と、「１１月末は仕事で香港にいます」というコンテンツ内容が記憶されている。
【００２９】
ユーザプロファイルサーバ２００は、抽出した上記のようなユーザプロファイルをユーザ端末１０へ送信する（ステップＳ０３）。ユーザプロファイルを受信したユーザ端末１０は、当該ユーザプロファイルを表示部に表示する。また、受信したユーザプロファイルと関連したメール履歴、通話履歴、留守番電話履歴を読み出し、表示部に表示する。
【００３０】
ここで、ユーザプロファイルデータベース２５０内の情報は、ユーザ端末１０又はその持ち主ごとに区切られていてよい。もし情報が共有される場合、個人情報が他人に流出してしまい、不適当だからである。また、ユーザプロファイルデータベース２５０内のコンテンツは、ユーザ端末１０又はその持ち主が設定してもよいし、関連付けられた電話番号の端末を持つ相手方本人が設定できてよい。これにより、図１に例示したように、各店舗は自店舗のキャンペーン内容等の広告を行うこともできる。以上が、ユーザプロファイル表示システム１の概要である。
【００３１】
［ユーザプロファイル表示システム１のシステム構成］
図２は、本発明の好適な実施形態であるユーザプロファイル表示システム１のシステム構成図である。ユーザプロファイル表示システム１は、ユーザ端末１０、通話端末５０、ウェブページ提供サーバ１００、ユーザプロファイルサーバ２００、ユーザプロファイルデータベース２５０、公衆回線網３（インターネット網や第３世代、第４世代通信網など）、電話網４から構成される。
【００３２】
ユーザ端末１０は、公衆回線網３を介してユーザプロファイルサーバ２００と通信可能に接続されている。また、通話端末５０は、公衆回線網３を介してユーザプロファイルサーバ２００と通信可能に接続されている。また、ユーザ端末１０と通話端末５０は、電話網４を介して通信可能に接続されている。ここで、ユーザ端末１０と通話端末５０は公衆回線網３を介して通信可能であってよい。ユーザ端末１０が公衆回線網３と接続するために、ルータ等のネットワーク機器を介して通信可能であってよい。
【００３３】
ユーザ端末１０は、ユーザがウェブページを閲覧し、手続きを行う、通話機能を備えた一般的な情報端末であってよく、後述する機能を備える情報機器や電化製品である。ユーザ端末１０は、例えば、携帯電話、スマートフォン、複合型プリンタ、テレビ、ルータ又はゲートウェイ等のネットワーク機器、コンピュータに加えて、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の一般的な情報家電であって、少なくとも通話機能を備えているものである。
【００３４】
通話端末５０も、ユーザ端末１０と同様に、少なくとも通話機能を備えた一般的な情報家電である。
【００３５】
ユーザプロファイルサーバ２００は、ユーザプロファイルデータベース２５０を備え、ユーザ端末１０からの問い合わせに応じてユーザプロファイルを送信するサーバである。ユーザプロファイルサーバ２００は、記憶部にユーザプロファイルデータベース２５０を備える。
【００３６】
［各機能の説明］
図３は、ユーザ端末１０、ウェブページ提供サーバ１００、ユーザプロファイルサーバ２００の機能ブロックと各機能の関係を示す図である。
【００３７】
ユーザ端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００３８】
また、ユーザ端末１０は、記憶部１３として、ハードディスクや半導体メモリによる、データのストレージ部を備える。さらに、ユーザ端末１０は、入出力部１４として、制御部で制御したデータや画像を出力表示する表示部を備え、かつ、ユーザやサポート者からの入力を受付けるタッチパネルやキーボード、マウス等を備える。
【００３９】
ユーザ端末１０において、制御部１１が所定のプログラムを読み込むことで、通信部１２と協働して、発信者番号取得モジュール１５、ユーザプロファイル取得モジュール１６、ユーザコンテンツ取得モジュール１７を備える。また、ユーザ端末１０において、制御部１１が所定のプログラムを読み込むことで、記憶部１３と協働して、履歴読み出しモジュール１８を実現する。
【００４０】
通話端末５０は、同様に、制御部５１として、ＣＰＵ，ＲＡＭ，ＲＯＭ等を備え、通信部５２として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００４１】
通話端末５０において、制御部５１が所定のプログラムを読み込むことで、通信部５２と協働して、通話モジュール５３を実現する。
【００４２】
ユーザプロファイルサーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、ユーザプロファイルサーバ２００は、記憶部２０３として、ハードディスクや半導体メモリによる、データのストレージ部を備える。ユーザプロファイルサーバ２００は、ユーザプロファイルデータベース２５０を、記憶部２０３に備える。
【００４３】
ユーザプロファイルサーバ２００において、制御部２０１が所定のプログラムを読み込むことで、通信部２０２と協働してユーザプロファイル送信モジュール２０４を実現する。また、ユーザプロファイルサーバ２００において、制御部２０１が所定のプログラムを読み込むことで、記憶部２０３と協働して、ユーザプロファイル抽出モジュール２０６を実現する。
【００４４】
［ユーザプロファイルの表示処理］
図４は、ユーザ端末１０、通話端末５０、ユーザプロファイルサーバ２００が実行するユーザプロファイルの表示処理のフローチャートである。上述した各装置のモジュールが行う処理について、本処理にて併せて説明する。
【００４５】
はじめに、通話端末５０の通話モジュール５３は、ユーザ端末１０に対して発信を行う（ステップＳ１１）。ここで通話とは、電話網４を介した電話を想定しているが、ＩＰ電話のように公衆回線網３を介した通話や、特定のアプリケーション間で提供される通話サービスであってよい。その時には、以下で用いる電話番号という用語は、通話相手、又は通話相手の所有する機器の少なくともいずれかを一意に特定する識別子という意味で解釈され、数字のみで構成されることをその要件としない。すなわち、ここでいう電話番号は、アルファベットや平仮名等の数字以外の要素で構成されていてよい。
【００４６】
次に、ユーザ端末１０上で予め動作しているソフトウェアが、通話サービスを開始するか、通話機能を発揮する他のソフトウェアの通話の着信を検知すると、ユーザ端末１０の発信者番号取得モジュール１５は、発信者の電話番号を取得する（ステップＳ１２）。
【００４７】
続けて、ユーザ端末１０のユーザプロファイル取得モジュール１６は、取得した電話番号をユーザプロファイルサーバ２００へ送信し、その電話番号と関連付けて登録されているユーザプロファイルを問い合わせる（ステップＳ１３）。ユーザプロファイルサーバ２００のユーザプロファイル送信モジュール２０４は、当該問い合わせとともに、電話番号を受信する（ステップＳ１４）。
【００４８】
次に、ユーザプロファイルサーバ２００のユーザプロファイル抽出モジュール２０６は、受信した電話番号を用いて、ユーザプロファイルデータベース２５０を検索し、その電話番号と関連付けられて記憶されているユーザプロファイルを抽出する（ステップＳ１５）。ここで、ユーザプロファイルには、着信者または発信者が登録したコンテンツ内容が含まれてよい。
【００４９】
図７は、ユーザプロファイルデータベース２５０内のユーザプロファイルテーブルの一例である。電話番号と、機器の持ち主の氏名と、コンテンツが記憶されている。当該テーブルは、ユーザ端末１０の数だけあってよい。また、当該コンテンツは、ユーザ端末１０の持ち主が持ち主や機器の説明のために設定してもよいし、通話端末５０の持ち主がユーザ端末１０の持ち主に見せるために設定してもよい。ここで、通話端末５０の持ち主は、全ての記憶領域における通話端末５０の電話番号と関連付けられて記憶されたコンテンツ内容を、一括で設定できてよい。
【００５０】
次に、ユーザプロファイル送信モジュール２０４は、抽出したユーザプロファイルをユーザ端末１０に送信し（ステップＳ１６）、ユーザ端末１０のユーザプロファイル取得モジュール１６、及びユーザコンテンツ取得モジュール１７は、ユーザプロファイルと、それに含まれるコンテンツ内容を受信する（ステップＳ１７）。
【００５１】
続いて、ユーザ端末１０の履歴読み出しモジュール１８は、ユーザプロファイルを取得した電話番号との通話履歴や、留守電の記録等、関連する履歴を記憶部から読み出す（ステップＳ１８）。ここで、例えばアドレス帳に電話番号とメールアドレスとが関連付けられて記憶されている時には、メール件数や最新の履歴を同様に抽出してもよい。
【００５２】
最後に、ユーザ端末１０のユーザプロファイル表示モジュール１９は、受信したユーザプロファイルを表示部に表示し、ユーザコンテンツ表示モジュール２０は、ユーザプロファイルに含まれるユーザコンテンツを表示部に表示し、履歴表示モジュール２１は、読みだした履歴情報を表示部に表示する（ステップＳ１９）。
【００５３】
図５は、ユーザプロファイルを表示したユーザ端末１０の表示部の一例である。着信があり、上記のようにユーザプロファイル及び履歴情報を取得した後、電話番号４１と、市名２とを表示し、着信中の旨を表示する。そして、電話番号と関連付けられて記憶されたコンテンツ内容４３と、履歴情報４４、加えて、最新のメールのやり取り４５を表示している。なお、本例ではユーザプロファイルとしてユーザの氏名を例示しているが、同様に、住所、誕生日、血液型、職歴、出身地等のプロファイル情報を含めてもよい。
【００５４】
また、当該ユーザプロファイルは個人情報保護の観点から、ユーザ端末１０ごとにその記憶領域が分かれていてよいし、ユーザプロファイルやコンテンツ内容はユーザ端末１０と通話端末５０のいずれからも設定可能であってよい。図６は、通話端末５０の持ち主から設定された表示コンテンツ６１の一例である。ここにおいて、ユーザ端末１０の設定したコンテンツ内容と、通話端末５０から設定したコンテンツ内容は、それぞれ独立に存在してよい。また、コンテンツ内容はマークアップ言語によって、表示形式を設定可能であってもよい。
【００５５】
以上が、ユーザ端末１０、通話端末５０、ユーザプロファイルサーバ２００が実行するユーザプロファイル表示処理の手順である。
【００５６】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５８】
１  ユーザプロファイル表示システム、３  公衆回線網、４  電話網、１０  ユーザ端末、５０  通話端末、２００  ユーザプロファイルサーバ、２５０  ユーザプロファイルデータベース
【図１】
2014171096.tif 000003
【図２】
2014171096.tif 000004
【図３】
2014171096.tif 000005
【図４】
2014171096.tif 000006
【図５】
2014171096.tif 000007
【図６】
2014171096.tif 000008
【図７】
2014171096.tif 000009